(57)【要約】【課題】塵埃を捨て易く、使い捨て式の集塵濾紙を集塵ケースに対して好適に配置する。【解決手段】掃除機本体２に着脱自在に設けられ、塵埃を捕集する集塵ケース１０を有する電気掃除機１において、集塵ケース１０の開口部を開閉する蓋部材１２を備え、蓋部材１２には、集塵ケース１０の内側に使い捨て式の集塵濾紙Ｔを配置するための機構部が設けられている。機構部として機能する突出部３０は、蓋部材１２を開閉する操作に連動して出没し、蓋部材１２を閉じる操作で塵埃収容器２０内に向けて突出し、蓋部材１２を閉じて集塵ケース１０を掃除機本体２に装着する操作で蓋部材１２側に没する。【選択図】図４
2011218050.tif 000002
【特許請求の範囲】
【請求項１】
掃除機本体に着脱自在に設けられ、塵埃を捕集する集塵ケースを有する電気掃除機において、
前記集塵ケースの開口部を開閉する蓋部材を備え、
前記蓋部材には、前記集塵ケースの内側に使い捨て式の集塵濾紙を配置するための機構部が設けられていることを特徴とする電気掃除機。
【請求項２】
掃除機本体に着脱自在に設けられた集塵ケースと、この集塵ケース内に出し入れ自在に設けられた塵埃収容器と、を有する電気掃除機において、
前記集塵ケースの開口部を開閉する蓋部材と、
前記蓋部材から前記塵埃収容器内に出没可能に設けられ、前記塵埃収容器の内側に突出することにより、使い捨て式の集塵濾紙を当該塵埃収容器内に配置する突出部と、を備えたことを特徴とする電気掃除機。
【請求項３】
前記突出部は、前記蓋部材を開閉する操作に連動して出没することを特徴とする請求項２に記載の電気掃除機。
【請求項４】
前記突出部は、
前記蓋部材を開いて前記集塵濾紙を配置した後に前記蓋部材を閉じる操作で前記塵埃収容器内に向けて突出し、
前記蓋部材を閉じて前記集塵ケースを前記掃除機本体に装着する操作で前記蓋部材側に没することを特徴とする請求項２または請求項３に記載の電気掃除機。
【請求項５】
前記突出部は、重力を利用して出没することを特徴とする請求項２から請求項４のいずれか１項に記載の電気掃除機。
【請求項６】
前記突出部は、前記蓋部材に没する方向に付勢されていることを特徴とする請求項２から請求項４のいずれか１項に記載の電気掃除機。
【請求項７】
前記突出部は、前記塵埃収容器内に出没する際に前記塵埃収容器の内面に沿うように移動することを特徴とする請求項２から請求項６のいずれか１項に記載の電気掃除機。
【請求項８】
掃除機本体に着脱自在に設けられた集塵ケースと、この集塵ケース内に出し入れ自在に設けられた一部が開口した立体的形状のフィルタと、を有する電気掃除機において、
前記集塵ケースの載置方向に応じて、前記立体的形状のフィルタの開口から当該立体的形状のフィルタの内側に向かって突き出し／引っ込み可能な部材を備えたことを特徴とする電気掃除機。
【請求項９】
前記突き出し／引っ込み可能な部材は、前記集塵ケースの載置方向が第１の方向である場合に、前記立体的形状のフィルタの開口から当該立体的形状のフィルタの内側に向かって突き出し、前記集塵ケースの載置方向が第１の方向とは異なる第２の方向である場合に、前記立体的形状のフィルタの内側から当該立体的形状のフィルタの開口側へ向かって引っ込むことを特徴とする請求項８に記載の電気掃除機。
【請求項１０】
前記突き出し／引っ込み可能な部材は、前記立体的形状のフィルタの開口に対応する面が重力作用方向に向いた場合に、前記立体的形状のフィルタの開口から当該立体的形状のフィルタの内側に向かって突き出し、前記立体的形状のフィルタの開口に対応する面が前記重力作用方向とは異なる方向に向いた場合に、前記立体的形状のフィルタの内側から当該立体的形状のフィルタの開口側へ向かって引っ込むことを特徴とする請求項８に記載の電気掃除機。
【発明の詳細な説明】
【技術分野】
【０００１】
本発明は、電気掃除機に関し、特に、集塵ケースに使い捨て式の集塵濾紙を容易に配置することができる電気掃除機に関するものである。
【背景技術】
【０００２】
従来、使い捨て式の集塵濾紙としてティッシュペーパーを用いるようにした電気掃除機が知られている（例えば、特許文献１参照）。
特許文献１に記載された電気掃除機では、掃除機本体に着脱自在な集塵ケースを備え、この集塵ケースの下流側には、塵埃の濾過を目的としたフィルタ部を備えた皿状の貯留部が設けられている。吸引時に集塵ケース内に流入した塵埃は、フィルタ部で捕獲され、ケース内に溜められるようになっている。
【０００３】
そして、この電気掃除機では、外ケースとフィルタ部との間にティッシュペーパーを介在させており、フィルタ部に先立ってティッシュペーパーで塵埃を捕獲するように構成されている。このようにティッシュペーパーで塵埃を捕獲することで、電気掃除機の吸引力の継続が図られる。
【先行技術文献】
【特許文献】
【０００４】
【特許文献１】特開２００９−１８１０７号公報
【発明の概要】
【発明が解決しようとする課題】
【０００５】
ところで、集塵ケースに溜められた塵埃は、電動送風機に所定の吸引力を発揮させ続けるために捨てる必要がある。集塵ケース内に集塵された塵埃を捨てる際には、極力、塵埃に触れることなく捨てることが衛生上望ましい。
特許文献１に記載の発明では、ティッシュペーパーを使用しているので、集塵ケースの内部に捕集された塵埃をティッシュペーパーごと捨てることができる。しかしながら、特許文献１では、貯留部の形状に沿うように押し付けるような区画リブを設けて、ティッシュペーパーが取り付けられるようになっている。したがって、奥行きのある塵埃収容器内の壁面に沿ってティッシュペーパーを取り付けるのが難しく、ティッシュペーパーを取り付ける際に塵埃収容器の壁面との間に空間が形成されると塵埃吸引時にティッシュペーパーが破けてしまうおそれもあった。
【０００６】
本発明は、前記従来の問題を解決するものであり、塵埃を捨て易く、使い捨て式の集塵濾紙を集塵ケースに対して好適に配置できる電気掃除機を提供することを目的とする。
【課題を解決するための手段】
【０００７】
本発明は、集塵ケースと、掃除機本体に着脱自在に設けられ、塵埃を捕集する集塵ケースを有する電気掃除機において、前記集塵ケースの開口部を開閉する蓋部材を備え、前記蓋部材には、前記塵埃収容器の内側に使い捨て式の集塵濾紙を配置するための機構部が設けられていることを特徴とする。この電気掃除機によれば、例えば、蓋部材を開閉する操作に連動して、蓋部材に設けられた機構部により使い捨て式の集塵濾紙を塵埃収容器の内側における内面に沿うように好適に配置することができる。
【０００８】
また、本発明は、掃除機本体に着脱自在に設けられた集塵ケースと、この集塵ケース内に出し入れ自在に設けられた塵埃収容器と、を有する電気掃除機において、前記集塵ケースの開口部を開閉する蓋部材と、前記蓋部材から前記塵埃収容器内に出没可能に設けられ、前記塵埃収容器の内側に突出することにより、使い捨て式の集塵濾紙を当該塵埃収容器内に配置する突出部と、を備えたことを特徴とする。この電気掃除機によれば、蓋部材から塵埃収容器内に出没可能に設けられた突出部によって、塵埃収容器の内側における内面に沿うように集塵濾紙を好適に配置することができる。
また、本発明は、掃除機本体に着脱自在に設けられた集塵ケースと、この集塵ケース内に出し入れ自在に設けられた一部が開口した立体的形状のフィルタ（例えば、塵埃収容器）と、を有する電気掃除機において、前記集塵ケースの載置方向に応じて、前記立体的形状のフィルタの開口から前記立体的形状のフィルタの内側に向かって突き出し／引っ込み可能な部材（例えば、突出部）、を備えたことを特徴とする。この電気掃除機によれば、立体的形状のフィルタ内に突き出し可能に設けられた部材によって、立体的形状のフィルタの内側における内面に沿うように使い捨て式の集塵濾紙などを好適に配置することができる。好ましくは、前記突き出し／引っ込み可能な部材は、前記集塵ケースの載置方向が第１の方向（例えば、集塵ケースに設けられる蓋部材が上面になる方向）である場合に、前記立体的形状のフィルタの開口から前記立体的形状のフィルタの内側に向かって突き出し、前記集塵ケースの載置方向が第１の方向とは異なる第２の方向（例えば、蓋部材が側面になる方向）である場合に、前記立体的形状のフィルタの開口側へ向かって引っ込む。好ましくは、前記突き出し／引っ込み可能な部材は、前記集塵ケースの前記立体的形状のフィルタの開口に対応する面（例えば、蓋部材が形成された面）が重力作用方向に向いた場合に、前記立体的形状のフィルタの開口から前記立体的形状のフィルタの内側に向かって突き出し、前記集塵ケースの前記立体的形状のフィルタの開口に対応する面が重力作用方向とは異なる方向（例えば、水平方向）に向いた場合に、前記立体的形状のフィルタの開口側へ向かって引っ込む。
【発明の効果】
【０００９】
本発明によれば、塵埃を捨て易く、使い捨て式の集塵濾紙を集塵ケースに対して好適に配置できる。
【図面の簡単な説明】
【００１０】
【図１】第１実施形態の電気掃除機を示した外観斜視図である。
【図２】掃除機本体に集塵ケースを収容した状態を示した斜視図である。
【図３】集塵ケースを示した外観斜視図である。
【図４】集塵ケースを示した断面図である。
【図５】蓋部材を開いた状態の集塵ケースを示した斜視図である。
【図６】蓋部材の内面を示した背面図である。
【図７】塵埃収容器を示した斜視図である。
【図８】フィルタ部材を開いた状態の集塵ケースを背面側から見た斜視図である。
【図９】ティッシュペーパーの装着時において蓋部材を開いた状態の集塵ケースを示した断面図である。
【図１０】蓋部材が閉じられる途中を示した断面図である。
【図１１】蓋部材が閉じられた状態を示した断面図である。
【図１２】突出部が没するときの様子を示した断面図である。
【図１３】第２実施形態の電気掃除機におけるティッシュペーパーの装着時において蓋部材を開いた状態の集塵ケースを示した断面図である。
【図１４】（ａ）（ｂ）は突出部の状態を示す模式拡大図である。
【図１５】蓋部材を開いた状態から蓋部材を閉じた状態を示した断面図である。
【図１６】突出部が没するときの様子を示した断面図である。
【発明を実施するための形態】
【００１１】
以下、本発明の実施形態について添付図面を参照して説明する。
（第１実施形態）
図１に示すように、電気掃除機１は、掃除機本体２と、ホース３と、手元操作スイッチＳＷ等が設けられた操作管４と、継手管（管）としての延長管５と、第１の吸込具６および第２の吸込具７とを備えて構成されている。第１の吸込具６の根元部に第２の吸込具７の先端部が接続され、第２の吸込具７の根元部に延長管５の先端部が接続され、延長管５の根元部に操作管４の先端部が接続され、操作管４の根元部にホース３が接続され、ホース３の根元部が掃除機本体２に前端部に接続される。なお、第２の吸込具７は、延長管５と操作管４との間に接続されてもよく、なくてもよい。
【００１２】
掃除機本体２の内部には、吸引力を発生させる図示しない電動送風機や、この電動送風機の吸引力で吸引した塵埃を捕集する集塵ケース１０（図２参照）等が内蔵されており、操作管４に設けられた手元操作スイッチＳＷの操作等によって電動送風機の運転の強弱等が切り替えられるようになっている。
なお、以下の説明で各部の方向を言うときには、図２に示す方向を基準とする。
【００１３】
図２に示すように、掃除機本体２の上面には、開閉自在な蓋体２ａが設けられており、蓋体２ａを開くことにより、集塵ケース１０が収容される収容室２ｂが露出するようになっている。集塵ケース１０は、この収容室２ｂに対して着脱自在に設けられており、清掃終了後等に定期的に収容室２ｂから取り出される。そして、集塵ケース１０の内部に捕集された塵埃がごみ箱等に捨てられる。収容室２ｂは、掃除機本体２の内部の前側に形成され、電動送風機は、掃除機本体２の内部の後側に配置される。
なお、蓋体２ａは、集塵ケース１０の出し入れ時に開かれ、掃除運転中は、閉じられている。収容室２ｂに対する集塵ケース１０の着脱方向は、略上下方向であり、収容室２ｂに集塵ケース１０を収容する際には、集塵ケース１０の後記する蓋部材１２が前側に向くようにして収容室２ｂに集塵ケース１０を挿入する。
【００１４】
集塵ケース１０は、図３に示すように、筒状のケース部材１１と、このケース部材１１の前部に回動可能に設けられた蓋部材１２とを備え、ケース部材１１の内部に、空気と塵埃とを分離する第１のフィルタとして機能する塵埃収容器２０（図４，５参照）を備えている。また、ケース部材１１の後部にフィルタ部材１５（図４参照）が設けられている。ケース部材１１の前部開口（開口部１１ｂ、図５参照）は、蓋部材１２によって閉塞され、ケース部材１１の後部開口は、フィルタ部材１５（図４参照）によって閉塞される。
ケース部材１１の上面前端には、図３に示すように、操作ボタン１３が設けられている。操作ボタン１３は、略中央部において左右に突設された図示しない支軸部を支点として揺動可能に設けられており、後端に設けられた押圧操作部１３ａを指で押すことにより、前端側に設けられたフック部１３ｂ（図４参照）が蓋部材１２の前面上端に設けられた係止部１２ｅ（図４参照）から外れて、蓋部材１２が開くようになっている。
このような操作ボタン１３の前端上面には、凸状の係合リブ１３ｃが設けられている。この係合リブ１３ｃは、蓋部材１２に回動自在に設けられたシャッター体１４の枠部１４ａに係合可能である。
【００１５】
蓋部材１２は、図５に示すように、ケース部材１１の前端下部に設けられたヒンジ部１１ａ周りに回動可能に設けられており、ケース部材１１の上面前部に設けられた蓋開き解除用の操作ボタン１３を操作することによって、前方へ倒れるようにして回動し、ケース部材１１の開口部１１ｂを開くようになっている。そして、蓋部材１２が開かれた状態で、開口部１１ｂを通じて、塵埃収容器２０が突出するようになっている。なお、開口部１１ｂから塵埃収容器２０が突出した状態で、塵埃収容器２０の後部側は、集塵ケース１０内に位置している。ただし、開口部１１ｂから塵埃収容器２０が突出した状態で、塵埃収容器２０の後部側も、集塵ケース１０外に位置していてもよい。つまり、開口部１１ｂから塵埃収容器２０が突出した状態で、塵埃収容器２０の全体が集塵ケース１０外に位置していてもよい。また、蓋部材１２は、ケース部材１１の前端下部に設けられたヒンジ部１１ａ周りに回動可能に設けられる代わりに、ケース部材１１の前端上部に設けられた図示しないヒンジ部周りに回動可能に設けられてもよい。
蓋部材１２の中央部には、円形の流入口（吸込口）１２ａ（図３参照）が開口形成されている。この流入口１２ａは、ホース３（図１参照）に連通しており、この流入口１２ａを通じて、塵埃を含む空気が集塵ケース１０内に流れ込むようになっている。
【００１６】
蓋部材１２の内面１２ｂには、特許請求の範囲にいう機構部として機能する突出部３０（突き出し／引っ込み可能な部材）が設けられている。突出部３０は、図６に示すように、後面視で略コ字形状を呈するように形成された枠状体であり、側部３１，３１と、この側部３１，３１の下端部間に連結された連結部３２とを有している。側部３１，３１の上端内側には、支軸３１ａ，３１ａが突設されており、この支軸３１ａ，３１ａは、蓋部材１２の内面１２ｂに突設された軸受部１２ｃ，１２ｃに支持されている。これによって、突出部３０は、支軸３１ａ，３１ａを中心として、蓋部材１２の内面１２ｂにある状態から、蓋部材１２の内側（塵埃収容器２０の内側）に向けて回動可能であり、この回動によって蓋部材１２の内側に向けて突出可能（突き出し可能、図１１参照）である。また、突出した状態から蓋部材１２に向けて回動可能（引っ込み可能）であり、この回動によって内面１２ｂ上に当接する状態に没するようになっている。なお、突出部３０は、後記するように、集塵ケース１０の載置方向（蓋部材１２の姿勢）に応じて、突き出し／引っ込み可能である。
【００１７】
軸受部１２ｃ，１２ｃは、流入口１２ａの左右両側部において蓋部材１２の上部側となる領域に形成されている（図４参照）。これにより、突出部３０は、塵埃収容器２０内に向けて突出した際に、その端部の連結部３２が、塵埃収容器２０の下部側から上部側に向けて回動するように構成されている（図１０参照）。
連結部３２は、図５に示すように、蓋部材１２の内面側に向けて湾曲しており、側部３１よりも蓋部材１２の内面側に向けて膨出している（図４参照）。
突出部３０には、その軸方向に沿うようにして側部３１，３１と連結部３２との両側部分に、回動方向に突出するリブ３１ｂ，３１ｂが形成されている。
【００１８】
このような突出部３０は塵埃収容器２０内に対して出没した際に、塵埃収容器２０の内面に接触することなく、該内面に沿うように（内面との間に所定の距離を有しつつ回動するように）側部３１，３１と連結部３２との寸法が設定されている。ここでいう所定の距離は、後記する使い捨て式の集塵濾紙として機能するティッシュペーパーＴを、突出部３０の出没時の回動によって塵埃収容器２０の内面に沿うように配置することのできる距離である。
また、側部３１，３１と連結部３２との連結部分３２ａ，３２ａは、アール状に形成されており、出没時に塵埃収容器２０の内面のアール形状に沿うものとなっている。
【００１９】
本実施形態では、突出部３０が、重力を利用してその自重により蓋部材１２を開閉する操作に連動して出没するように構成されている。つまり、突出部３０は、蓋部材１２を開いて集塵濾紙としてのティッシュペーパーＴ（図４参照）を配置した後に蓋部材１２を閉じる操作で塵埃収容器２０内に向けて突出するようになっており、また、蓋部材１２を閉じて集塵ケース１０を掃除機本体２の収容室２ｂに装着する操作で、蓋部材１２側に没するようになっている。突出部３０の作用の詳細は後記する。
【００２０】
シャッター体１４は、図４に示すように、蓋部材１２の流入口１２ａを開閉する部材であり、掃除機本体２（図２参照、以下同じ）に集塵ケース１０が収容された状態では、突部１４ｂ（図４参照）が押圧されることにより、枠部１４ａが操作ボタン１３の前端上方に位置するように構成されている。これによって、集塵ケース１０を掃除機本体２から取り出す際に把持部１６を把持する手で誤って押圧操作部１３ａが押圧操作されても、操作ボタン１３の揺動が規制され、前記したフック部１３ｂと係止部１２ｅとの係合が維持される。したがって、集塵ケース１０を掃除機本体２から取り出す際に不意に蓋部材１２が開くことが防止されている。ただし、シャッター体１４は、必須の構成ではない。
【００２１】
流入口１２ａには、図４〜図６に示すように、流入口１２ａの開口を閉塞する逆止弁１２ｆが設けられている。逆止弁１２ｆは、合成ゴムなどの弾性材料からなるのが好ましい。逆止弁１２ｆは、図５に示すように、扇状の３枚の弁１２ｇと円筒状の筒部１２ｈからなり、各弁１２ｇの円弧部分が筒部１２ｈに揺動自在に支持されている。このような逆止弁１２ｆは、塵埃収容器２０に堆積した塵埃が、流入口１２ａからこぼれ落ちないように流入口１２ａの開口を閉塞する。そして、流入口１２ａから空気が流入していない状態では、逆止弁１２ｆが流入口１２ａの開口を閉じた状態にあり、流入口１２ａから空気が流入する状態では、風圧によって逆止弁１２ｆが弾性力に逆らって下流側、つまり集塵ケース１０の内部側へ弾性変形する。これによって、流入口１２ａから空気が流入する状態では、流入口１２ａが開かれる。
【００２２】
塵埃収容器２０（集塵かご）は、図４に示すように、ケース部材１１内に配置され、大きめの粗塵を捕集するメッシュ状のフィルタ２０ａを有している。塵埃収容器２０の形状は、枠体（支骨）によって形成され、フィルタ２０ａは、塵埃収容器２０の開口以外の底面（後側壁部２２、上下左右面）に設けられており、金属やナイロンなどで構成されたフィルタ２０ａが被覆または貼着されているのが好ましい。  塵埃収容器２０は、前側が開口し奥側が閉じられる容器状を呈しており（空気の流れ方向の上流側が開口し、下流側が閉じられた形状を呈しており）、蓋部材１２の流入口１２ａ側に開口が向けられて、流入口１２ａから流入してくる塵埃を捕集するようになっている。塵埃収容器２０は、図７に示すように、流入口１２ａ（図４参照）が形成された側とは反対側へ凹んだ立体的形状を有し、上下に分割された上容器２０Ａと下容器２０Ｂとが後部の蝶番２０Ｃを介して連結されてなる。
塵埃収容器２０の形状は、一つの面が開口したかご形状，立体的形状，箱形状または容器形状であってもよいし、ちりとり形状であってもよい。塵埃収容器２０の断面形状は、略四角形状であってもよいし、略円形状であってもよいし、略三角形状であってもよい。塵埃収容器２０の断面形状は、開口から底面へ向かって、小さくなるのが好ましい。
このような塵埃収容器２０の内側には、前記した蓋部材１２の内面１２ｂに設けられた突出部３０が挿入可能である。
【００２３】
そして、塵埃収容器２０は、ケース部材１１の底面に装着される基部２６を有しており、この基部２６と下容器２０Ｂとの間に装着された図示しないばね部材を介して基部２６に回動可能に支持されている。このばね部材は、塵埃収容器２０をケース部材１１の開口部１１ｂに向けて押し出す方向に付勢する。ただし、ばね部材は必須の構成ではない。ばね部材がない場合は、重力によって塵埃収容器２０がケース部材１１から突出することとなる。
なお、下容器２０Ｂは、下容器２０Ｂの左右下部に設けられた支軸２１ａ，２１ａが基部２６の左右側部２６ａ，２６ａに設けられた支持孔２６ｂ，２６ｂ（一方のみ図示）に軸支されることで、基部２６に対して回動自在に設けられている。
そして、塵埃収容器２０は、基部２６と一体的にケース部材１１から取り外すことができる。したがって、簡単に清掃することができる。また、塵埃収容器２０を水洗いしたい場合も、ケース部材１１から取り外した状態で簡単に水洗いが可能で、乾燥する時間も比較的短時間で済む。
【００２４】
上容器２０Ａの上部には、図４に示すように、塵埃収容器２０の回動を規制する規制ストッパ２３が設けられている。この規制ストッパ２３は、ケース部材１１の上部内壁に設けられた規制部１１ｃに当接するようになっている。つまり、塵埃収容器２０がケース部材１１の開口部１１ｂ（図５参照）に向けて押し出されるときの、規制ストッパ２３の回動軌跡に規制部１１ｃが位置している。
これによって、塵埃収容器２０が図示しないばね部材の付勢力によって突き出される方向に回動すると、図９に示すように、規制ストッパ２３が規制部１１ｃに当接して回動が規制され、最終的には、上容器２０Ａと下容器２０Ｂとが蝶番２０Ｃを支点として上下方向に開く状態となって回動が規制される。つまり、塵埃収容器２０は、塵埃を捕集するときの空気の流れの方向とは逆の方向に回動されて（突き出されて）開かれるようになっており、これによって、塵埃収容器２０内に捕集された塵埃をごみ箱等に容易に捨てることができるようになっている。
【００２５】
図８に示すように、ケース部材１１の後部に設けられたフィルタ部材１５は、例えば、波形のプリーツ加工されたフィルタ１５ｂを備えており、ケース部材１１の下部に設けられたヒンジ１５ａによりケース部材１１に対して開閉自在に設けられている。通常、フィルタ部材１５は、ケース部材１１の上部に設けられた係止部１７のフック１７ａによって閉状態に係止されている。
このフィルタ部材１５は、塵埃収容器２０を通過した細かな微細塵を濾過捕集する第２のフィルタとして機能するようになっている。よって、塵埃収容器２０のフィルタ２０ａの目開きは、フィルタ部材１５のフィルタ１５ｂの目開きよりも粗い（大きい）。
【００２６】
次に、塵埃収容器２０に捕集した塵埃を捨て、その後、塵埃収容器２０を掃除機本体２の収容室２ｂに収容する際の作用について各図を適宜参照して説明する。
塵埃をごみ箱等に捨てる際には、塵埃収容器２０を掃除機本体２の収容室２ｂから取り出し、操作ボタン１３の押圧操作部１３ａ（図４参照）を押圧操作する。そうすると、フック部１３ｂが蓋部材１２の係止部１２ｅから外れ、蓋部材１２が開かれる。このとき、蓋部材１２は、ばね部材により付勢された塵埃収容器２０によって前方へ押圧され、ヒンジ部１１ａを中心として回動して開く（図５参照）。これとともに、ばね部材によって前方へ突き出された塵埃収容器２０は、規制ストッパ２３が規制部１１ｃに当接して回動が規制されるとともに、上下に分割された上容器２０Ａと下容器２０Ｂとが後部の蝶番２０Ｃを介して上下方向に開かれる。これによって、塵埃収容器２０の内側に捕集された塵埃が後記するように内部に収容されたティッシュペーパーＴとともに前方に放り出され、塵埃が排出される。
【００２７】
塵埃排出後、図９に示すように、蓋部材１２を開いたままの状態で、ケース部材１１の開口部１１ｂが上に向くようにして、集塵ケース１０を床面ＧＬ等に載置する（特許請求の範囲にいう第１の方向（蓋部材１２が上面になる方向）に集塵ケース１０（ケース部材１１）を載置する）。そして、塵埃収容器２０の内側にティッシュペーパーＴを装着する。なお、ティッシュペーパーＴは、使い捨て式の集塵濾紙に相当し、例えば、コンビニエンスストア等で日用品として販売されているものでよい。
ティッシュペーパーＴを装着する際には、ティッシュペーパーＴが塵埃収容器２０の内面に沿うようにして広がるように、手を塵埃収容器２０内に挿入して行うとよい。
なお、この時点では、蓋部材１２が内面１２ｂを上に向けて開いているので、突出部３０は蓋部材１２の内面１２ｂに載置された状態（没した状態）にある。
【００２８】
その後、ケース部材１１を例えば図示しない一方の手で押さえつつ、開いている蓋部材１２を図示しない他方の手で把持して、蓋部材１２を閉じる操作を行う。そうすると、図１０に示すように、閉じる方向に回動された蓋部材１２がケース部材１１に対して起き上がり、その回動途中において、ケース部材１１に対して蓋部材１２が略垂直となる状態からさらに閉じる方向に回動されると（塵埃収容器２０の開口に対応する蓋部材１２の内面１２ｂが特許請求の範囲にいう重力作用方向に向くように回動されると）、蓋部材１２の内面１２ｂに載置されていた突出部３０が自重により支軸３１ａ（図６参照）を中心として回動し始め、内面１２ｂから垂れ下がり始める（塵埃収容器２０の内側に向かって突出部３０が突き出され始める）。
【００２９】
その後、蓋部材１２をケース部材１１に向けてさらに回動すると、蓋部材１２の内面１２ｂから垂れ下がった突出部３０が、回動により塵埃収容器２０内に向けてさらに突出した状態となり、これが塵埃収容器２０内に挿入される。そして、蓋部材１２をさらに回動すると、塵埃収容器２０の内面に沿わせて配置されたティッシュペーパーＴに突出部３０の連結部３２等が当接し、蓋部材１２の回動に伴って、ティッシュペーパーＴが塵埃収容器２０の内面に向けて押し付けられる。これにより、塵埃収容器２０の内面にティッシュペーパーＴが近付けられて配置される。
【００３０】
その後、図１１に示すように、蓋部材１２がケース部材１１に閉じられると、ケース部材１１の開口部１１ｂにおいてティッシュペーパーＴが蓋部材１２とケース部材１１との間に挟持され、塵埃収容器２０の内面に沿うようにティッシュペーパーＴが配置されつつ集塵ケース１０にティッシュペーパーＴが保持される。
【００３１】
その後、把持部１６を把持して、図１２に示すように、集塵ケース１０を起こすと（特許請求の範囲にいう第２の方向（蓋部材１２が側面になる方向）に集塵ケース１０を起こすと（塵埃収容器２０の開口に対応する蓋部材１２の内面１２ｂが特許請求の範囲にいう前記重力作用方向とは異なる方向に向くように回動されると））、塵埃収容器２０内に突出していた突出部３０が、塵埃収容器２０の内面に沿うようにして自重で蓋部材１２に向けて回動し、その回動軌跡に沿って側部３１，３１や連結部３２がティッシュペーパーＴに接触する。これによって、ティッシュペーパーＴが塵埃収容器２０の内面に沿うように整えられる。
【００３２】
したがって、平坦なティッシュペーパーＴを塵埃収容器２０の内面に好適に沿わせて配置することができる。したがって、ティッシュペーパーＴを塵埃収容器２０内に好適に押し込むことができ、塵埃吸引時にティッシュペーパーＴが破けるのを防ぐことができる。
【００３３】
そして、このようにティッシュペーパーＴが配置された集塵ケース１０を掃除機本体２の収容室２ｂに挿入して蓋体２ａを閉じる。
ここで、突出部３０は、収容室２ｂに集塵ケース１０が収容された状態で、蓋部材１２に没しており（図４参照）、また、没した位置が、流入口（吸込口）１２ａの下流側開口位置（逆止弁１２ｆが設けられる位置）よりも上流側にあるので、流入口１２ａを通じて吸い込まれる空気の流れに影響を受けることもない。
【００３４】
その後、電気掃除機１を運転して清掃を行えば、塵埃収容器２０内に吸引された塵埃は、塵埃収容器２０に配置したティッシュペーパーＴおよびその上流側に、大部分が堆積する。この場合、塵埃収容器２０に吸引された塵埃は、空気流により圧縮された固まりとなり易いので、塵埃収容器２０の上流域で、ティッシュペーパーＴに包まれた状態となる。
したがって、蓋部材１２を開いて塵埃を排出する際にも、ほとんどの塵埃は、ティッシュペーパーＴに包まれた固まり状の状態となって排出されることとなる。
【００３５】
なお、図４に示すように、塵埃収容器２０のフィルタ２０ａを通過した微細な塵埃は、ケース部材１１の後部のフィルタ部材１５の上流側に付着する。付着した微細な塵埃は掃除機の運転が終了すると落下してケース部材１１内に堆積する。下部に堆積した微細な塵埃は、基部２６とケース部材１１との間に形成された通路を通って塵埃収容器２０の前面側から排出可能である。
【００３６】
以下に本実施形態の作用効果について説明する。
（１）本実施形態によれば、蓋部材１２の内側に突出部３０を突出させることで、塵埃収容器２０の内面に沿うようにティッシュペーパーＴを配置することができる。したがって、塵埃を捨て易く、衛生的で使い勝手がよい電気掃除機１が得られる。また、ティッシュペーパーＴを集塵ケース１０に対して簡単にしかも好適に配置できる電気掃除機１が得られる。
（２）ティッシュペーパーＴが塵埃収容器２０の内面に沿って好適に配置されるので、塵埃収容器２０に吸引された塵埃は、空気流により圧縮された固まりとなり易く、塵埃収容器２０から排出する際も固まり状となって排出されるので、塵埃収容器２０のメッシュ状のフィルタ２０ａには、塵埃の付着や絡み付きが少なくなり、目詰まりが生じにくい。このため、塵埃収容器２０に溜った塵埃を捨てるだけで、フィルタ２０ａの除塵の手間を省くことができる。
（３）塵埃収容器２０内で圧縮されて固まりとなった繊維塵により、塵埃収容器２０に流入した粉塵などの微細な塵埃の一部も捕集され、繊維塵が微細な粉塵を包んでいるので、塵埃収容器２０に溜った塵埃を捨てる際に、細塵の舞い上がりが生じず衛生的である。
（４）フィルタ２０ａの目詰まりが生じにくいので、電気掃除機１を運転した際の風量の低下を抑えることができ、吸引力の低下を抑えることができるので、被清掃面の塵埃を吸引する能力の低下を抑えることができる。
（５）突出部３０は、蓋部材１２を開閉する操作に連動して出没するので、塵埃収容器２０に溜った塵埃を捨てる際の一連の操作の中で、突出部３０を出没させることができ、ティッシュペーパーＴを塵埃収容器２０内に簡単に配置することができる。
（６）突出部３０は、蓋部材１２を開いてティッシュペーパーＴを配置した後に蓋部材１２を閉じる操作で塵埃収容器２０内に向けて突出するので、閉じる操作とともに、突出部３０でティッシュペーパーＴを塵埃収容器２０の内面に向けて押し付けることができ、塵埃収容器２０の内面に沿うように配置することができる。
また、蓋部材１２を閉じて集塵ケース１０を掃除機本体２に装着する操作で蓋部材１２側に突出部３０が自動的に没するので、突出部３０をいちいち蓋部材１２側に戻す操作が不要となり、衛生的で使い勝手がよい電気掃除機１が得られる。
（７）突出部３０は、重力を利用してその自重により出没する構成であるので、複雑な機構を必要とせずに、ティッシュペーパーＴを塵埃収容器２０内に好適に配置することができる。しかも、蓋部材１２を閉じる操作で突出部３０が塵埃収容器２０内に突出し、集塵ケース１０を掃除機本体２の収容室２ｂに収容するために手に把持する操作（集塵ケース１０を起こす操作）によって、蓋部材１２側に突出部３０が没するので、塵埃収容器２０に溜った塵埃を捨てる際の一連の操作の中で、特別な操作を必要とせずに簡単にティッシュペーパーＴを塵埃収容器２０の内面に沿うように配置することができる。
（８）清掃時には、突出部３０が蓋部材１２の内側に没しており、また、没した位置が、流入口（吸込口）１２ａの下流側開口位置（逆止弁１２ｆが設けられる位置）よりも上流側にあるので、流入口１２ａを通じて吸い込まれる空気の流れに影響を受けることがなく、突出部３０に塵埃がからまる等の不具合も生じない。したがって、衛生的で使い勝手がよい電気掃除機１が得られる。
【００３７】
（第２実施形態）
次に、図１３から図１６を参照して第２実施形態の電気掃除機１について説明する。本実施形態が前記第１実施形態と異なるところは、突出部３０が蓋部材１２に没する方向に付勢されている点である。
突出部３０は、これを支持する軸受部１２ｃ，１２ｃ（一方のみ図示）が、流入口１２ａの左右両側部において蓋部材１２の下部側となる領域に形成されている（図１３参照）。
突出部３０は、図１４（ａ）（ｂ）に示すように、支軸３１ａ，３１ａ（一方のみ図示）に、ばね等の付勢部材３３を介して支持されており、付勢部材３３によって蓋部材１２に没する方向に付勢されている（図１４（ａ）で示す状態）。
【００３８】
側部３１’，３１’（一方のみ図示）の基端部には、突部３４が形成されており、図１４（ｂ）に示すように、この突部３４は、突出部３０が蓋部材１２の内面１２ｂ上に略垂直状態に回動されて立ち上げられた状態で、内面１２ｂに設けられた係止突部１２ｊを乗り越えて、付勢部材３３の付勢力に抗するように係止される。つまり、この係止によって突出部３０は、蓋部材１２の内面１２ｂ上に略垂直状態に突出した状態を維持するようになっている。なお、突出部３０は、この係止が解除される方向、つまり係止時と逆方向に回動する方向の外力を受けたときに、突部３４が係止突部１２ｊを乗り越えて係止状態が解除され、付勢部材３３の付勢力により蓋部材１２の内面１２ｂに没する方向に回動するようになっている。
【００３９】
次に、塵埃収容器２０に捕集した塵埃を捨て、その後、塵埃収容器２０を掃除機本体２の収容室２ｂに収容する際の作用について説明する。
塵埃排出後、図１３に示すように、蓋部材１２を開いたままの状態で、ケース部材１１の開口部１１ｂが上に向くようにして、集塵ケース１０を床面ＧＬ等に載置する。そして、塵埃収容器２０の内側にティッシュペーパーＴを装着する。
ティッシュペーパーＴを装着する際には、ティッシュペーパーＴが塵埃収容器２０の内面に沿うようにして広がるように、手を塵埃収容器２０内に挿入して行うとよい。
【００４０】
その後、図１４（ａ）に示すように、付勢部材３３の付勢力によって蓋部材１２の内面１２ｂに没した状態にある突出部３０を、指で摘まんで蓋部材１２上に引き起こす。そうすると、突出部３０の突部３４が、図１４（ｂ）に示すように、蓋部材１２の内面１２ｂの係止突部１２ｊを乗り越えて、突出部３０は略垂直に立ち上げられた状態で係止される。
【００４１】
その後、ケース部材１１を例えば一方の手で押さえつつ、開いている蓋部材１２を他方の手で把持して、蓋部材１２を閉じる操作を行う。そうすると、図１５に示すように、蓋部材１２に立ち上げられた突出部３０が回動とともに塵埃収容器２０内に挿入され、塵埃収容器２０の内面に沿わせて配置されたティッシュペーパーＴに突出部３０の連結部３２’等が当接する。これにより、蓋部材１２の回動に伴って、ティッシュペーパーＴが塵埃収容器２０の内面に向けて押し付けられる。したがって、塵埃収容器２０の内面にティッシュペーパーＴが近付けられて配置される。
【００４２】
このとき、蓋部材１２を閉じる動作で、蓋部材１２が塵埃収容器２０を押し、集塵ケース１０内に塵埃収容器２０が押し込まれる。そして、さらに蓋部材１２を閉じると、突出部３０が塵埃収容器２０の内面にさらに接近し、ティッシュペーパーＴが塵埃収容器２０の内面に沿うように近付けられる。
【００４３】
その後、図１６に示すように、蓋部材１２がケース部材１１に閉じられると、ケース部材１１の開口部１１ｂにおいてティッシュペーパーＴが蓋部材１２とケース部材１１との間に挟持され、塵埃収容器２０の内面に沿うようにティッシュペーパーＴが配置されつつ集塵ケース１０にティッシュペーパーＴが保持される。
また、これと並行して、突出部３０の連結部３２’が塵埃収容器２０の内面にティッシュペーパーＴを介して当接し、蓋部材１２がケース部材１１に閉じられる状態となったときに（閉じられる前の段階でも可能）、突出部３０に対して、係止が解除される方向の外力が作用する。これにより、突部３４が係止突部１２ｊを乗り越えて係止状態が解除され、付勢部材３３の付勢力により蓋部材１２の内面１２ｂに突出部３０が没する。
【００４４】
この回動により、突出部３０の回動軌跡に沿って側部３１’，３１’や連結部３２’がティッシュペーパーＴに接触する。これによって、ティッシュペーパーＴが塵埃収容器２０の内面に沿うように整えられる。
【００４５】
したがって、平坦なティッシュペーパーＴを塵埃収容器２０の内面に好適に沿わせて配置することができる。したがって、ティッシュペーパーＴを塵埃収容器２０内に好適に押し込むことができ、塵埃吸引時にティッシュペーパーＴが破けるのを防ぐことができる。
【００４６】
なお、突出部３０は前記実施形態と同様に、没した位置が、流入口（吸込口）１２ａの下流側開口位置（逆止弁１２ｆが設けられる位置）よりも上流側に位置するので、流入口１２ａを通じて吸い込まれる空気の流れに影響を受けることもない。
【００４７】
本実施形態の電気掃除機１では、突部３４と係止突部１２ｊとの係止により、突出部３０を突出させて塵埃収容器２０の内面に沿うようにティッシュペーパーＴを配置することができ、付勢部材３３を利用して突出部３０を蓋部材１２に没することができる。したがって、突出部３０を自重で回動させるときのような重力との関係を考慮する必要がなくなり、使い勝手が向上された電気掃除機１が得られる。
【００４８】
なお、前記第１実施形態において、突出部３０の連結部３２は、側部３１，３１よりも分厚く形成して重量を有するように形成してもよい。このようにすることで、重量を有する分、蓋部材１２の開閉に連動して好適に突出部３０を回動させることができる。
また、前記第１実施形態において、連結部３２の中央部を回転楕円状に膨出させてもよい。
また、前記第１，第２実施形態において、連結部３２（３２’）等に回動方向に回転可能な回転体を設け、突出部３０が回動する際にこの回転体によって、塵埃収容器２０内に配置したティッシュペーパーＴが塵埃収容器２０の内面に向けて押され付けられるように構成してもよい。
前記第１，第２実施形態において、側部３１，３１（３１’，３１’）や連結部３２（３２’）を幅広に形成して、塵埃収容器２０の内面に対向する面積が、棒状に形成された突出部３０に比べて広くなるように形成してもよい。また、連結部３２（３２’）のみを幅広に形成してもよい。また、連結部３２（３２’）の中央部や側部３１，３１（３１’，３１’）と連結部３２（３２’）との間のアール状部分のみを幅広に形成してもよい。
また、前記第１，第２実施形態において、塵埃収容器２０の内面に沿うように、斜め下方へ向けて垂れ下がる（突出する）ように構成してもよい。
【００４９】
また、前記各実施形態では、集塵ケース１０に塵埃収容器２０を収容した構成としたが、塵埃収容器２０はなくてもよく、集塵ケース１０内にティッシュペーパーＴが直接配置される構成であってもよい。
なお、使い捨て式の集塵濾紙としてティッシュペーパーＴを示したがこれに限られることはなく各種の濾紙を好適に用いることができる。
【符号の説明】
【００５０】
１      電気掃除機
２      掃除機本体
１０    集塵ケース
１１ｃ  規制部
１２    蓋部材
１２ｂ  内面
２０    塵埃収容器
３０    突出部
３１    側部
３１ａ  支軸
３２    連結部
３３    付勢部材
３４    突部
Ｔ      ティッシュペーパー
【図１】
2011218050.tif 000003
【図２】
2011218050.tif 000004
【図３】
2011218050.tif 000005
【図４】
2011218050.tif 000006
【図５】
2011218050.tif 000007
【図６】
2011218050.tif 000008
【図７】
2011218050.tif 000009
【図８】
2011218050.tif 000010
【図９】
2011218050.tif 000011
【図１０】
2011218050.tif 000012
【図１１】
2011218050.tif 000013
【図１２】
2011218050.tif 000014
【図１３】
2011218050.tif 000015
【図１４】
2011218050.tif 000016
【図１５】
2011218050.tif 000017
【図１６】
2011218050.tif 000018